(57)【要約】  眼鏡用マウントが提供され、該マウントは、レンズ（３）を保持するための一対の構造体（４）を有するフロントフレーム（２）を備え、構造体は鼻支持ゾーンに延在する中央ブリッジ（５）によって互いに接続されており、レンズ保持構造体（４）はそれぞれ、レンズ（３）を保持するための上部要素（８）であって、中央ブリッジ（５）と関節接合軸（Ｘ）を中心に関節接合するように側方アーム（７）に接続されている対応する反対側の側方ほぞ部（６）との間の眉アーチゾーンにおいて少なくともレンズの外形の上側の一部を囲うように設計され、ブリッジ（５）と対応する側方ほぞ部（６）とに一体化した上部要素（８）と、レンズ（３）を保持するための下部要素（９）であって、ブリッジ（５）と対応するほぞ部（６）との間のレンズの外形の底部における残りの部分を囲うように延在し、中央ブリッジ（５）でフロントフレーム（２）に接続される第１の端部（９ａ）と側方ほぞ部（６）に緊結されるように構成された反対側の第２の端部（９ｂ）とを有する下部要素（９）とを備ている。該マウントは、さらに、各ほぞ部（６）に受容され、関節接合軸の方向に実質的に平行な垂直方向に限られた範囲でスライドするように案内される対応する箱型部分（１１）を備え、下部保持要素（９）の第２の端部（９ｂ）は箱型部分（１１）に緊結され、垂直スライド方向に対して所定の傾斜を有する面（１３）が箱型部分に画定されており、ネジ（１６）が垂直スライド方向に対して横方向に延在するようにほぞ部（６）に設けられた穴（１５）にねじ込まれることで面（１３）に対して作用することにより、ネジ（１６）を締めたり緩めたりすることで生じるネジ（１６）の並進運動を箱型部分（１１）のスライド方向の並進運動に変換し、そうすることで、下部保持要素（９）を上部保持要素（８）に接近あるいは離間させるように移動させて、上部要素（８）と下部要素（９）との間のフレーム（２）にレンズ（３）を固定したり取りはずしたりできる。【選択図】図７
2021527849.tif 000002
【特許請求の範囲】
【請求項１】
レンズ（３）を保持するための一対の構造体（４）を有するフロントフレーム（２）を備える眼鏡用マウントであって、
前記構造体は鼻支持ゾーンに延在する中央ブリッジ（５）によって互いに接続されており、
前記レンズ保持構造体（４）はそれぞれ、
前記レンズ（３）を保持するための上部要素（８）であって、前記中央ブリッジ（５）と関節接合軸（Ｘ）を中心に関節接合するように側方アーム（７）に接続されている対応する反対側の側方ほぞ部（６）との間の眉アーチゾーンにおいて少なくとも前記レンズの外形の上側の一部を囲うように設計され、前記ブリッジ（５）と前記対応する側方ほぞ部（６）とに一体化した上部要素（８）と、
前記レンズ（３）を保持するための下部要素（９）であって、前記ブリッジ（５）と前記対応するほぞ部（６）との間の前記レンズの外形の底部における残りの部分を囲うように延在し、前記中央ブリッジ（５）で前記フロントフレーム（２）に接続される第１の端部（９ａ）と前記側方ほぞ部（６）に緊結されるように構成された反対側の第２の端部（９ｂ）とを有する下部要素（９）とを備え、
前記マウントは、さらに、前記各ほぞ部（６）に受容され、前記関節接合軸の方向に実質的に平行な垂直方向に限られた範囲でスライドするように案内される対応する箱型部分（１１）を備え、前記下部保持要素（９）の前記第２の端部（９ｂ）は前記箱型部分（１１）に緊結され、
前記垂直スライド方向に対して所定の傾斜を有する面（１３）が前記箱型部分（１１）に画定されており、ネジ（１６）が前記垂直スライド方向に対して横方向に延在するようにほぞ部（６）に設けられた穴（１５）にねじ込まれることで前記面（１３）に対して作用することにより、前記ネジ（１６）を締めたり緩めたりすることで生じる前記ネジ（１６）の並進運動を前記箱型部分（１１）の前記スライド方向の並進運動に変換し、そうすることで、前記下部保持要素（９）を前記上部保持要素（８）に接近あるいは離間させるように移動させて、前記上部要素（８）と前記下部要素（９）との間の前記フレーム（２）に前記レンズ（３）を固定したり取りはずしたりできることを特徴とする、
眼鏡用マウント。
【請求項２】
前記下部保持要素（９）の前記第２の端部（９ｂ）は、前記箱型部分（１１）の垂直スライド方向に対して横方向に前記箱型部分（１１）内を延在する座部（１２）内に取り外し可能に受容されるように構成されていることを特徴とする、
請求項１に記載の眼鏡用マウント。
【請求項３】
前記下部保持要素（９）は、実質的に剛性のある金属ワイヤ構造を有するように形成されていることを特徴とする、
請求項２に記載の眼鏡用マウント。
【請求項４】
前記ワイヤからなる下部保持要素（９）は、前記フロントフレーム（２）から構造的に独立しており、前記ワイヤの第１の端部および反対の第２の端部（９ａ、９ｂ）は実質的に直角に折り曲げられており、対応する座部（１０）が前記ブリッジ（５）に設けられ、前記下部保持要素（９）の第１の端部（９ａ）が前記座部（１０）に取り外し可能に受容され、前記第１および第２の端部（９ａ、９ｂ）が、それぞれ前記垂直方向に対して横方向の対応する前記座部に係合することを特徴とする、
請求項３に記載の眼鏡用マウント。
【請求項５】
前記箱型部分（１１）は、前記ほぞ部（６）の貫通空隙部（６ａ）内でスライド可能に案内されており、前記空隙部は、前記ネジ（１６）が係合する前記ねじ穴（１５）に連通していることを特徴とする、
請求項１から４のいずれか１項に記載の眼鏡用マウント。
【請求項６】
前記傾斜面（１３）は、前記ネジ（１６）が係合する前記ねじ穴（１５）に面する前記箱型部分（１１）の凹部（１４）に設けられており、前記ネジはその頭部（１６ａ）と軸方向反対側の端部（１６ｂ）に、円錐状の外形部を有し、その母線が、面接触によって前記傾斜面（１３）と結合することができることを特徴とする、
請求項１から５のいずれか１項に記載の眼鏡用マウント。
【請求項７】
前記下部保持要素（９）は、前記第１の端部（９ａ）において前記フレーム（２）とつながった単一の部品として作製することができることを特徴とする、
請求項２または３に記載の眼鏡用マウント。
【発明の詳細な説明】
【技術分野】
【０００１】
本発明は、主請求項１の前提部（プリアンブル）に記載された特徴を有する眼鏡用マウントに関する。
【背景技術】
【０００２】
本分野において、レンズを保持するリム（「アイピースホルダ」とも称される）を閉結するための従来のシステムは、レンズがリムに確実に安定して保持されることと、アイピースホルダを開いてレンズを取り付けたりはずしたりすることとの両方を意図して構成されており、このシステムは、いわゆる伝統的なねじ式の「管状」構造を含んでいる。実際に、リムは開いた外形形状を有するように設計されており、その開いた状態において、リムの端部には、対応する端部と一体に形成され、それぞれが同軸穴を有する一対の管状形成部が設けられており、その管状形成部の一方には、管状部を互いに緊結することができるネジを係合させてレンズをリムに固定させるためのねじ加工が施されている。ネジを緩めることにより、管状部を相互に分離することができ、リムをある程度開くことができるので、ネジが締められていない間に、レンズをリムから取りはずしたり、リムに取り付けたりすることができる。
【発明の概要】
【発明が解決しようとする課題】
【０００３】
この種の解決策には、従来技術で利用可能なその複数のバージョンにおいて、望ましくないネジの緩みの発生を含むいくつかの欠点が以前から存在する。ネジの自己緩みという問題は、実際、「管状部」によってリムを閉結する従来のシステムが直面する主要な問題である。
【０００４】
実際のところ、眼鏡は意図しないところで多数の振動にさらされている（たとえば、バッグやケース内で運ばれているとき、使用者が歩いているとき、または使用者が自動車やボートなどで移動しているときなど）。この種の振動による影響は、自己緩み、つまり、ネジの締め付け力と締め付け深さの減少という形で現れやすく、管状部からネジがはずれてしまうという望ましくない状況を引き起こす可能性がある。
【０００５】
これに気づかず、適切なタイミングで修正できなかった場合、ネジが緩むことでアイピースホルダが開き、レンズがフロントフレームからはずれ、地面に落ちて壊れてしまい使用できなくなるという危険が生じるなど、自己緩みが重大な損害を引き起こすことになりかねない。
【０００６】
「管状部」によってレンズを囲うことで固定するシステムにおいては、一般に、（装着される眼鏡を考慮して）垂直軸に沿ってネジを方向付けしており、ほとんどの場合、前記ネジを下から挿入している。マウントの設計に影響を与えないようにネジの頭部を隠す必要性または状況に伴い、ネジを下から挿入するということが選択されている。
【０００７】
ただし、ネジが隠れた位置に挿入されているため、使用者が潜在的な自己緩みの開始に適切なタイミングで気付くことができず、レンズがはずれ落ちた時に初めて問題に気付くという危険がある。
【０００８】
第２に、ネジが奥まった見えにくい位置にある結果として、ネジを締めたり緩めたりすることは一般的に非常に容易であるとは言えない。
【課題を解決するための手段】
【０００９】
本発明の主な目的は、既知の解決策において確認された欠点を克服するように構造的および機能的に設計され、特に前述の自己緩みの問題をより効果的に防止または制御できる眼鏡用マウントを提供することである。
【００１０】
この目的および以下で明らかになるその他の目的は、添付の請求項に従って作成された眼鏡用マウントによって達成される。
【図面の簡単な説明】
【００１１】
本発明のさらなる特徴および利点は、非限定的な例として添付の図面を参照して示される、以下の実施形態の詳細な説明からより明確になるであろう。
【図１】本発明の第１実施例に従って作成された眼鏡用マウントの斜視図である。
【図２】図１のマウントの詳細を示す部分斜視図である。
【図２Ａ】前述の図におけるマウントの一部が取りはずされている状態を示す部分斜視図である。
【図３】図１のマウントの詳細を示す部分斜視図である。
【図４】図３に対応する図であって、分解された状態を詳細に示す図である。
【図５】前述の図におけるマウントの詳細を示す部分拡大斜視図である。
【図６】前述の図と同様の詳細を示す部分斜視図であり、動作を概略的に示す図である。
【図７】前述の図と同様の詳細を示す部分斜視図であり、動作を概略的に示す図である。
【図８】前述の図におけるマウントの詳細を示す拡大斜視図である。
【図９】図８における詳細を上から見た平面図である。
【図１０】前述の図のさらなる詳細を示す側面図である。
【図１１】図１０の詳細を示す斜視図である。
【図１２】図８および図１１に詳細を示す部品が組み立てられた状態を示す部分断面図である。
【図１３】図１２に対応する図であって、第１の動作状態に関する一連の位置を示す拡大断面図である。
【図１４】図１２に対応する図であって、第１の動作状態に関する一連の位置を示す拡大断面図である。
【図１５】図１２に対応する図であって、第１の動作状態に関する一連の位置を示す拡大断面図である。
【図１６】図１２に対応する図であって、第２の動作状態に関する別の一連の位置を示す拡大断面図である。
【図１７】図１２に対応する図であって、第２の動作状態に関する別の一連の位置を示す拡大断面図である。
【図１８】図１２に対応する図であって、第２の動作状態に関する別の一連の位置を示す拡大断面図である。
【発明を実施するための形態】
【００１２】
引用された図を参照すると、参照番号１は、本発明の第１実施例に従って作成された眼鏡用マウントを全体として示し、眼鏡用マウントは、鼻支持ゾーンに延在する中央ブリッジ５によって接続された一対のレンズ保持構造体４を有する、レンズ３を保持するためのフロントフレーム２を備えている。
【００１３】
各レンズ保持構造４は、各レンズ３において、レンズをフロントフレームに保持するための外周形状を提供するように設計されている。この例では、マウントは、眉のアーチに沿う形状の好ましくは金属からなる上部弓状部を備えるタイプのいわゆる「ハーフフレーム」によって作成され、上部弓状部は中央ブリッジ５と、それぞれのアーム７をフロントフレームに関節接合するために設けられたそれぞれの側方ほぞ部６とに接続されている。さらに、各上部弓状構造は、ワイヤ、好ましくは金属ワイヤで作られ、ここで説明する例では所定の弾力性を有し、実質的に剛性である下部支持体を取り付けることによって完成する。
【００１４】
マウントの一対のレンズ保持構造４は、構造および動作が互いに類似しているため、その一方について以下に詳細に説明する。各レンズ保持構造の同様の設計部品は、鏡映対称を持つが、説明を容易にするために同様の参照番号で示されていることが理解される。各レンズ保持構造４は、中央ブリッジ５とＸで示される関節接合軸を中心に関節接合するように側方アーム７に接続されている対応する反対側の側方ほぞ部６との間の眉アーチゾーン（頭に装着された眼鏡を考慮することによって識別可能）において、レンズの外形の少なくとも上側の一部を囲むように設計された、レンズ３を保持するための上部要素８を備えている。したがって、好ましくは金属製である上部要素８によって、上記においてフロント「ハーフフレーム」と称され、例えば溶接によってブリッジ５および対応する側方ほぞ部６と一体となる上部弓状部の構造が提供される。
【００１５】
各レンズ保持構造４はまた、レンズ３を支持するための下部要素９を含み、この下部要素９は、ブリッジ５と対応する側方ほぞ部６との間のレンズの外形の底部における残りの部分を囲うように延在しており、下部要素９は、中央ブリッジ５でフロントフレーム２に接続される第１の端部９ａと、側方ほぞ部６に緊結されるように構成された反対側の第２の端部９ｂとを有している。
【００１６】
下部要素９は、構造的にフロントフレーム２から独立しており、有利には、所定の弾力性を有するワイヤ、好ましくは実質的に剛性のある金属ワイヤでできており、その末端部分は、図２Ａに明確に示されているように、端部９ａおよび９ｂにおいて実質的に直角に折り曲げられている。参照番号１０は、ブリッジ５の両側のそれぞれにおいて、対応する上部要素８に対するブリッジの接続ゾーンに設けられたそれぞれの座部を示し、この座部は、例えば、垂直方向に対して横方向に延在する円筒形の空隙部として形成される。垂直方向とは、関節接合軸Ｘの方向に実質的に平行であることを意味する。
【００１７】
各座部１０は、図５に示されるように、ブリッジにおいて前記下部要素９をフロントフレームに緊結するように、要素９の端部９ａを連結係合で受容するように設計されている。
【００１８】
対応するレンズ３の外形の周囲のレンズ保持構造４を閉結するために、下部支持要素９は、以下でより詳細に説明されるように、対応する側方ほぞ部６に接続される。マウント１は、各ほぞ部６で受容され、関節接合軸の方向に実質的に平行である垂直方向に限られた範囲でスライド可能なようにほぞ部の貫通空隙部６ａ内で案内される、対応する箱形部分１１を備えている。
【００１９】
箱形部分に座部１２が設けられ、この座部は、例えば円筒形の空隙部の形状を有し、箱形部分の垂直スライド方向に対して横方向に延在するように形成され、その座部の中には、下部支持要素９の端部９ｂの折り曲げられた部分が取りはずし可能に受容される。
【００２０】
図１１を参照すると、座部１２は、好ましくは箱形部分１１の一部に設けられ、箱形部分と一体的に形成されたスリーブとして少なくとも部分的に成形されている。箱形部分の主形状から部分的に突出する前記一部は、ほぞ部の貫通空隙部６ａに隣接する位置に作成された凹部６ｂにおいて受容されるように形成されている。参照番号６ｃは、例えば溶接によって上部要素８の対応する端部を収容および固定するために、ほぞ部６に設けられたもう一つの凹部を示す。
【００２１】
座部１２において係合することで、端部９ｂは箱形部分に接続され、前記箱形部分と一緒に垂直スライド方向に移動するよう構成されている。
【００２２】
また、箱形部分１１には、垂直スライド方向に対して所定の傾斜を有する面１３が画定されており、この面は、ネジ１６が係合するようにほぞ部に設けられたねじ穴１５に面する箱形部分の凹部１４に設けられている。
【００２３】
より具体的には、座部１２を画定する空隙部は凹部１４と連通しており、凹部１４はさらに、ネジが係合される穴１５と連通している。穴は、ほぞ部内を垂直方向に対して横方向に延在し、ほぞ部の外に向かって開いており、そこから適切な工具によってネジ１６の頭部１６ａを回転するように作動させることができる。頭部の軸方向に反対側において、ネジ１６の脛部に円錐形の外形形状を有する端部１６ｂが設けられ、その母線が、面接触によって傾斜面１３と結合できるように形成されている。
【００２４】
ネジ１６が面１３に対して作用するように結合を調整することにより、前記ネジを回転させることによるネジと雌型ネジとの結合によって得られるネジの並進運動を、箱形部分１１の垂直スライド方向の並進運動に変換し、そうすることで、下部支持要素９を上部支持要素８に対して接近あるいは離間させ、上部要素と下部要素との間のフレームにレンズを固定したり取りはずしたりする。レンズの外形の周囲におけるレンズ保持構造を閉結する動作が、図１３から１５までの一連の図に示されており、この動作は、レンズ保持構造上で確実にレンズを保持するのに適している。
【００２５】
図１３は、レンズを構造に挿入する場合に適した、レンズ保持構造が最大に開かれた状態を作り出すために、要素８および９がほぞ部において相互に離間されている初期状態を示している。この位置では、円錐形の外形部１６ｂが傾斜面１３に係合することなく、ネジ１６が穴１５に係合されている。
【００２６】
ネジ１６を回転させてねじ穴１５にねじ込むことにより、端部１６ｂの円錐形の外形部が、スライド接触によって傾斜面１３と係合し、それにより、図１４および図１５に明確に示されるように箱形部分１１を垂直にスライドさせる。箱形部分１１の垂直方向の並進中に、それに伴って移動する下部支持要素９ｂ（図１４）が上部要素８の端部に向かって引き寄せられて前記端部に面し、それにより、レンズの外形の周囲のレンズ保持構造が閉結される（図１５）。閉結の度合いは、ねじ穴にネジを締める際の強弱によって制御可能である。
【００２７】
図１５に示すレンズ保持構造の閉状態から、逆向きの動作を実行することでレンズが取りはずされる。この動作は、穴からネジを緩め（図１７）、傾斜面１３とネジの円錐形の端部との係合を解除することによって行われる。この係合の解除により、下部支持要素９を上部要素８から離れるように自由に動かすことが可能になる。図１８の位置において最大開放度に達し、レンズを対応するレンズ保持構造から取りはずすことができる。
【００２８】
変形実施形態では、下部支持要素９は、端部９ａにおいてフレーム２とつながった単一の部品として作製することができる。したがって、この設計では、レンズ保持構造の周囲形状は、側方ほぞ部に対して、下部要素９の端部９ｂでのみ連結が解除される。レンズ保持構造を開く動作を容易にするために、この構造においては、下部要素と上部要素とを接続しているブリッジへの接続ゾーンを局所的に高い可撓性を有するように作成することもできる。
【００２９】
さらなる変形例では、下部支持要素は、上記のタイプのワイヤ形状（特に円形断面）を有する代わりに、上部要素と同様の断面形状を有するように形成することができる。
【００３０】
なお、本発明に係るマウントによれば、ネジの位置（垂直方向に対して横方向に配置され、横方向にアクセス可能）によって、ねじ込み深さを容易に制御することが可能となっており、したがって、潜在的な自己緩みの開始に適切なタイミングで、すなわち、ネジとレンズとがはずれてしまう前に、気付くことができる。さらに、レンズを取り付け/取りはずしする場合でも単にネジの深さを調整する場合でも、アクセスしやすい位置であるため、ネジの操作を容易に行うことができる。
【００３１】
さらに、ネジが下からではなく上から挿入される「管状」閉結システムを用いる既知の解決策に対して、新しいシステムは、ネジが横方向に位置しているため、より美しい「整然性」あるいは「線形性」を有している。
【００３２】
従来技術における「管状」システムまたは同様の解決策を適用した典型的な場合に対するさらなる利点としては、本発明に係るマウントによって、溶接工程、より正確には、「下部管状部」と対応する弓状または金属製の「リム」との溶接工程を排除することができる。溶接工程を排除することで、製造プロセスが簡素化されるため、コストが削減されるだけでなく、潜在的なマイナーな欠陥の原因も排除することができる。
【００３３】
このように、本発明は、先行技術に関して多くの利点を提供しながら、提案された目的を達成することができる。
【図１】
2021527849.tif 000003
【図２】
2021527849.tif 000004
【図２Ａ】
2021527849.tif 000005
【図３】
2021527849.tif 000006
【図４】
2021527849.tif 000007
【図５】
2021527849.tif 000008
【図６】
2021527849.tif 000009
【図７】
2021527849.tif 000010
【図８】
2021527849.tif 000011
【図９】
2021527849.tif 000012
【図１０】
2021527849.tif 000013
【図１１】
2021527849.tif 000014
【図１２】
2021527849.tif 000015
【図１３】
2021527849.tif 000016
【図１４】
2021527849.tif 000017
【図１５】
2021527849.tif 000018
【図１６】
2021527849.tif 000019
【図１７】
2021527849.tif 000020
【図１８】
2021527849.tif 000021
【国際調査報告】
2021527849.tif 000022
2021527849.tif 000023